(57)【要約】  共通制御チャネルを用いて複数のユーザ端末へそれぞれの個別制御情報を送信する通信システムにおいて、基地局装置は、ユーザ端末宛に個別制御情報と所定の制御情報を送信する場合、ユーザ端末を該ユーザ端末宛の制御情報の内容に応じてグループ分けし、各ユーザ端末宛の個別制御情報を所定のグループ順に配列し、各グループに所属するユーザ端末の所属数をグループ順に配列した所属数情報を作成し、該グループ順に各ユーザ端末宛の個別制御情報を送信すると共に所属数情報を送信する。ユーザ端末は基地局装置から個別制御情報と所属数情報を受信し、自分宛の個別制御情報の順番を判別し、該順番と所属数情報とから自分が所属するグループを求め、該所属グループに基づいて制御情報を復元する。
2009013810.tif 000002
【特許請求の範囲】
【請求項１】
共通制御チャネルを用いて複数のユーザ端末へそれぞれの個別制御情報を送信する通信システムにおける個別制御情報送信方法において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定のグループ順に配列し、
各グループに所属するユーザ端末の所属数を前記グループ順に配列した所属数情報を作成し、
前記グループ順に各ユーザ端末宛の個別制御情報を送信すると共に前記所属数情報を送信する、
ことを特徴とする個別制御情報送信方法。
【請求項２】
共通制御チャネルを用いて複数のユーザ端末へそれぞれの個別制御情報を送信する通信システムにおける個別制御情報送信方法において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定グループ順に配列し、
各グループに所属するユーザ端末の個別制御情報の合計サイズを前記グループ順に配列したサイズ情報を作成し、
前記グループ順に各ユーザ端末宛の個別制御情報を送信すると共に前記サイズ情報を送信する、
ことを特徴とする個別制御情報送信方法。
【請求項３】
前記グループ順は制御情報の優先度順であり、優先度の高いグループの前記所属数情報あるいは前記サイズ情報を送信し、優先度の低いグループの前記所属数情報あるいは前記サイズ情報を送信しない、
ことを特徴とする請求項１または２記載の個別制御情報送信方法。
【請求項４】
前記所属数情報作成ステップにおいて、
各グループの間に０を配置し、
各グループに所属するユーザ端末の数に等しい数の１を前記所属数情報として該グループの両側の０の間に並べる、
ことを特徴とする請求項１記載の個別制御情報送信方法。
【請求項５】
前記サイズ情報作成ステップにおいて、
各グループの間に０を配置し、
グループに属する各ユーザ端末の個別制御情報の合計サイズに等しい数の１を前記サイズ情報として該グループの両側の０の間に並べる、
ことを特徴とする請求項２記載の個別制御情報送信方法。
【請求項６】
グループに属する各ユーザ端末の個別制御情報サイズが識別可能となるように該サイズに等しい数の１の間に切れ目を付して両側の０の間に並べる、
ことを特徴とする請求項５記載の個別制御情報送信方法。
【請求項７】
共通制御チャネルを用いて複数のユーザ端末へそれぞれの個別制御情報を送信する通信システムにおける個別制御情報送受信方法において、
送信側において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定のグループ順に配列し、
各グループに所属するユーザ端末の所属数を前記グループ順に配列した所属数情報を作成し、
前記グループ順に各ユーザ端末宛の個別制御情報を送信すると共に前記所属数情報を送信し、
受信側において、
基地局装置から前記個別制御情報と前記所属数情報を受信し、
自分宛の個別制御情報の順番を判別し、
該順番と前記所属数情報とから自分が所属するグループを求め、
該所属グループに基づいて制御情報を復元する、
ことを特徴とする個別制御情報送受信方法。
【請求項８】
共通制御チャネルを用いて複数のユーザ端末へそれぞれの個別制御情報を送信する通信システムにおける個別制御情報送受信方法において、
送信側において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定グループ順に配列し、
各グループに所属するユーザ端末の個別制御情報の合計サイズを前記グループ順に配列したサイズ情報を作成し、
前記グループ順に各ユーザ端末宛の個別制御情報を送信すると共に前記サイズ情報を送信し、
受信側において、
基地局装置から送信された前記個別制御情報と前記サイズ情報を受信し、
自分宛の個別制御情報の先頭からの位置を判別し、
該位置と前記サイズ情報とから自分が所属するグループを求め、
該所属グループに基づいて制御情報を復元する、
ことを特徴とする個別制御情報送受信方法。
【請求項９】
前記グループ順は制御情報の優先度順であり、優先度の高いグループの前記所属数情報あるいは前記サイズ情報を送信し、優先度の低いグループの前記所属数情報あるいは前記サイズ情報を送信しない、
ことを特徴とする請求項７または８記載の個別制御情報送受信方法。
【請求項１０】
前記所属数情報作成ステップにおいて、
各グループの間に０を配置し、
各グループに所属するユーザ端末の数に等しい数の１を前記所属数情報として該グループの両側の０の間に並べる、
ことを特徴とする請求項７記載の個別制御情報送受信方法。
【請求項１１】
前記サイズ情報作成ステップにおいて、
各グループの間に０を配置し、
グループに属する各ユーザ端末の個別制御情報の合計サイズに等しい数の１を前記サイズ情報として該グループの両側の０の間に並べる、
ことを特徴とする請求項８記載の個別制御情報送受信方法。
【請求項１２】
グループに属する各ユーザ端末の個別制御情報サイズが識別可能となるように該サイズに等しい数の１の間に切れ目を付して両側の０の間に並べる、
ことを特徴とする請求項１１記載の個別制御情報送受信方法。
【請求項１３】
前記受信側における制御情報を復元するステップにおいて、
前記各グループの前に存在する前記０の数と前記制御情報の内容との対応テーブルを設け、
前記自分が所属するグループの前に存在する０の数を求め、
該０の数に対応する制御情報の内容を前記対応テーブルより求める、
ことを特徴とする請求項１０または１１記載の個別制御情報送受信方法。
【請求項１４】
共通制御チャネルを用いて複数のユーザ端末へそれぞれの個別制御情報を送信する通信システムにおける基地局装置において、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定のグループ順に配列する配列部、
各グループに所属するユーザ端末の所属数を前記グループ順に配列した所属数情報を作成する所属数情報作成部、
前記グループ順に各ユーザ端末宛の個別制御情報を送信すると共に前記所属数情報を送信する送信部、
を備えることを特徴とする基地局装置。
【請求項１５】
共通制御チャネルを用いて複数のユーザ端末へそれぞれの個別制御情報を送信する通信システムにおける基地局装置において、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定グループ順に配列する配列部、
各グループに所属するユーザ端末の個別制御情報の合計サイズを前記グループ順に配列したサイズ情報を作成するサイズ情報作成部、
前記グループ順に各ユーザ端末宛の個別制御情報を送信すると共に前記サイズ情報を送信する送信部、
を備えることを特徴とする基地局装置。
【請求項１６】
前記配列部は、制御情報の優先順に前記グループ順を決定し、各ユーザ端末の個別制御情報を該グループ順に配列し、
前記送信部は、優先度の高いグループの前記所属数情報あるいは前記サイズ情報を送信し、優先度の低いグループの前記所属数情報あるいは前記サイズ情報を送信しない、
ことを特徴とする請求項１４または１５記載の基地局装置。
【請求項１７】
前記所属数情報作成部は、
各グループの間に０を配置し、各グループに所属するユーザ端末の数に等しい数の１を前記所属数情報として該グループの両側の０の間に並べる、
ことを特徴とする請求項１４記載の基地局装置。
【請求項１８】
前記サイズ情報作成部は、
各グループの間に０を配置し、グループに属する各ユーザ端末の個別制御情報の合計サイズに等しい数の１を前記サイズ情報として該グループの両側の０の間に並べる、
ことを特徴とする請求項１５記載の基地局装置。
【請求項１９】
前記サイズ情報作成部は、
グループに属する各ユーザ端末の個別制御情報サイズが識別可能となるように該サイズに等しい数の１の間に切れ目を付して両側の０の間に並べる、
ことを特徴とする請求項１８記載の基地局装置。
【請求項２０】
共通制御チャネルを用いて複数のユーザ端末装置へ基地局装置よりそれぞれの個別制御情報を送信する通信システムにおいて、
基地局装置は、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定のグループ順に配列する配列部、
各グループに所属するユーザ端末の所属数を前記グループ順に配列した所属数情報を作成する所属数情報作成部、
前記グループ順に各ユーザ端末宛の個別制御情報を送信すると共に前記所属数情報を送信する送信部、
を備え、ユーザ端末装置は、
基地局装置から送信された前記個別制御情報と前記所属数情報を受信する受信部、
自分宛の個別制御情報の順番を判別し、該順番と前記所属数情報とから自分が所属するグループを求め、該所属グループに基づいて制御情報を復元する制御情報復元部、
を備えたことを特徴とする通信システム。
【請求項２１】
共通制御チャネルを用いて複数のユーザ端末装置へ基地局装置よりそれぞれの個別制御情報を送信する通信システムにおいて、
基地局装置は、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定グループ順に配列する配列部、
各グループに所属するユーザ端末の個別制御情報の合計サイズを前記グループ順に配列したサイズ情報を作成するサイズ情報作成部、
前記グループ順に各ユーザ端末宛の個別制御情報を送信すると共に前記サイズ情報を送信する送信部、
を備え、ユーザ端末装置は、
基地局装置から送信された前記個別制御情報と前記サイズ情報を受信する受信部、
自分宛の個別制御情報の先頭からの位置を判別し、該位置と前記サイズ情報とから自分が所属するグループを求め、該所属グループに基づいて制御情報を復元する制御情報復元部、
を備えたことを特徴とする通信システム。
【請求項２２】
前記配列部は、制御情報の優先順に前記グループ順を決定し、各ユーザ端末の個別制御情報を該グループ順に配列し、
前記送信部は、優先度の高いグループの前記所属数情報あるいは前記サイズ情報を送信し、優先度の低いグループの前記所属数情報あるいは前記サイズ情報を送信しない、
ことを特徴とする請求項２０または２１記載の通信システム。
【請求項２３】
前記所属数情報作成部は、
各グループの間に０を配置し、各グループに所属するユーザ端末の数に等しい数の１を前記所属数情報として該グループの両側の０の間に並べる、
ことを特徴とする請求項２０記載の通信システム。
【請求項２４】
前記サイズ情報作成部は、
各グループの間に０を配置し、グループに属する各ユーザ端末の個別制御情報の合計サイズに等しい数の１を前記サイズ情報として該グループの両側の０の間に並べる、
ことを特徴とする請求項２１記載の通信システム。
【請求項２５】
前記サイズ情報作成部は、
グループに属する各ユーザ端末の個別制御情報サイズが識別可能となるように該サイズに等しい数の１の間に切れ目を付して両側の０の間に並べる、
ことを特徴とする請求項２４記載の基地局装置。
【請求項２６】
前記受信側の前記制御情報復元部は、
前記各グループの前に存在する前記０の数と前記制御情報の内容との対応テーブル、
前記自分が所属するグループの前に存在する０の数を求め、該０の数に対応する制御情報の内容を前記対応テーブルより復元する復元部、
を備えたことを特徴とする請求項２３または２４記載の通信システム。
【請求項２７】
ユーザ端末宛に個別制御情報と所定の制御情報を送信する場合、基地局装置において、ユーザ端末を該ユーザ端末宛の制御情報の内容に応じてグループ分けし、各ユーザ端末宛の個別制御情報を所定のグループ順に配列し、各グループに所属するユーザ端末の所属数を前記グループ順に配列した所属数情報を作成し、前記グループ順に各ユーザ端末宛の個別制御情報を送信すると共に前記所属数情報を送信する通信システムにおけるユーザ端末において、
基地局装置から送信された前記個別制御情報と前記所属数情報を受信する受信部、
自分宛の個別制御情報の順番を判別し、該順番と前記所属数情報とから自分が所属するグループを求め、該所属グループに基づいて制御情報を復元する制御情報復元部、
を備えたことを特徴とするユーザ端末。
【請求項２８】
ユーザ端末宛に個別制御情報と所定の制御情報を送信する場合、基地局装置において、ユーザ端末を該ユーザ端末宛の制御情報の内容に応じてグループ分けし、各ユーザ端末宛の個別制御情報を所定グループ順に配列し、各グループに所属するユーザ端末の個別制御情報の合計サイズを前記グループ順に配列したサイズ情報を作成し、前記グループ順に各ユーザ端末宛の個別制御情報を送信すると共に前記サイズ情報を送信する通信システムにおけるユーザ端末において、
基地局装置から送信された前記個別制御情報と前記サイズ情報を受信する受信部、
自分宛の個別制御情報の先頭からの位置を判別し、該位置と前記サイズ情報とから自分が所属するグループを求め、該所属グループに基づいて制御情報を復元する制御情報復元部、
を備えたことを特徴とするユーザ端末。
【発明の詳細な説明】
【技術分野】
【０００１】
本発明は、共通制御チャネルを用いて複数のユーザ端末へそれぞれの個別制御情報を送信する通信システム、基地局装置、ユーザ端末並びにそれらの個別制御情報送受信方法および個別情報送信方法に関する。
【背景技術】
【０００２】
パケット通信を行う移動通信システムにおいて、基地局装置は各ユーザ端末(UE)の受信環境に基づいてスケジューリングを行い、それぞれのユーザ端末(User Equipment：UE)に対して無線リソースを割り当てる。通常、リソース割り当て情報は共通制御チャネルを通じて基地局より各UEに送信され、各UEは共通制御チャネルよりリソース割り当て情報を受信して自分宛の割り当て情報の有無を検出する。UEは下りリンクのリソースを割り当てられた場合、該当リソースより下り方向の自分宛データを抽出して復調する。また上りリンクのリソースを割り当てられた場合、UEはそのリソースを用いて送信バッファに溜まっているデータを基地局に向けて送信する。【０００３】
3GPPのHSDPA（High Speed Downlink Packet Access）仕様において、基地局はHS-PDSCH（High Speed-Physical Downlink Shared Channel）を用いて下りリンクのパケット送信を行い、HS-SCCH(High-speed Shared Control Channel)を用いて各UEへのリソース割り当て情報を送信する。すなわち、HSDPA においてHS-SCCH、HS-PDSCHは共に下り方向の共通チャネル（shared channel）であり、HS-SCCHは、HS-PDSCHにて送信するデータに関する各種パラメータを送信する。各種パラメータとしては、例えば、どのUEにデータを送信するかを示す宛先情報、コード番号、伝送フォーマット等の情報がある。伝送フォーマットには、ビットレート情報、変調方式情報、符号化レート情報等の情報が含まれている。【０００４】
3GPPのLTE（Long Term Evolution）仕様において、基地局は下りリンクの送信方式にOFDMA（Orthogonal Frequency Division Multiplex Access）を適用する。このLTEでは、図１６に示すようにサブフレーム（subframe）１の先頭部分に共通制御チャネルを配置して各UEへリソース割り当て情報を送信する。サブフレーム１はサブキャリア数×0.5msec分のシンボルで構成され、先頭に共通制御チャネル２が配置され、共通制御チャネル２の後にデータチャネル３が配置され、データチャネル３には複数のUE（User#a，User＃b，User#c，…）宛のデータが周波数多重および時間多重されている。サブフレーム１において、Cは制御信号、Dは送信データ信号、Rはパイロット信号（基準信号）である。パイロット信号Rは周波数方向及び時間方向に離散的に配置され、UEは該パイロット信号Rを用いてチャネル推定すると共に、周波数方向及び時間方向に平均処理及び補間処理することにより各サブキャリアにおけるチャネルを推定する。【０００５】
共通制御チャネル２により送信される各UEへのリソース割り当て情報にはユーザ識別子(UE-ID)が付加されており、UEは該UE-IDを参照することにより自分宛のリソース割り当て情報を選択できるようになっている。リソース割り当て情報として、上りリンクまたは下りリンクの周波数帯域を特定する情報、伝送フォーマット情報、MIMO送信情報などがある。共通制御チャネルにおけるリソース割り当て情報の並び順が既知であれば、UE-IDが付加されていなくてもUEは自分に割り当てられた順番のリソース割り当て情報を検出、抽出して所定の送受信制御を行うことができる。しかし、HSDPAやLTEにおいて、共通制御チャネルにおけるリソース割り当て情報の並び順は既知でない。このため、各UEはリソース割り当て情報に付加されているUE-IDを参照して自分宛のリソース割り当て情報を識別して選択する。【０００６】
ところで、3GPP LTEでは共通制御チャネルにおいて、リソース割り当て情報以外に、送信電力制御 (Transmission Power Control) のためのTPCコマンド、送信タイミング調整（Timing Adjustment）のためのTAコマンド、上りデータに対する受信成功/失敗を示すACK/NACKを送信することが予定されている。TPCは目標受信電力と実際の受信電力を比較し、両者が一致するようにUEの送信電力を調整する技術で、異なるUEからの上り信号同士の干渉を抑えることによりシステム容量を増大させる効果がある。TAは3GPP LTEのように上りリンク同期が必要なシステムに必須な機能で、実際の受信タイミングが理想的な受信タイミングから外れないようにUEの送信タイミングを調整する技術である。一般にUEの移動によって基地局における受信電力あるいは受信タイミングが目標値から外れるので、基地局は受信電力あるいは受信タイミングの目標値からのズレを測定し、該ズレが零となるようにUE宛にTPCコマンドやTAコマンドを送信してUEの送信電力や送信タイミングの制御を行う。第１従来技術は、これらTPCコマンドやTAコマンドをリソース割り当て情報と一緒にUE毎にまとめて送信する（非特許文献１）。【０００７】
一方、ACK/NACKは共通制御チャネルで割り当てた上りリソースにおけるデータの送達確認情報を表すフィードバック情報である。第２従来技術は、共通制御チャネルにおけるリソース割り当て情報の位置と該割り当てたリソースを使った上りデータ送信に対するACK/NACKの位置を関連づけることにより制御ビット数の増加を抑えることを提案している（非特許文献２）。ACK/NACKにUE-IDを付加するとすれば、１ビットのACK/NACKを送るために数ビットのUE-ID特定ビットが必要になる。そこで、第２従来技術は、共通制御チャネル上の各UEへのリソース割り当て情報の順番、例えばUE#01→UE#05→UE#04→UE#08→・・・を記憶しておき、ACK/NACK 情報をこのリソース割り当て情報と同じ順番で各UEに送信する技術である。すなわち、第２従来技術において、基地局は、(１)タイミングTAにおける共通制御チャネル上の各UEへの上りリソース割り当て情報の順番を記憶しておき、(２)タイミングTBにおいて該割り当てリソースからデータを正しく受信できたかどうか調べ、(３)受信結果を示す確認情報(ACK/NACK)をタイミングTCにおいて前記順番に従って共通制御チャネルに載せてUEに通知する。UEは自分の上りリソース割り当て情報の順番を知っているから、該順番における確認情報(ACK/NACK)を取り込んで再送制御を行う。
第２従来技術は、リソース割り当て情報を送信するタイミングと相応のACK/NACKの送信タイミングが異なっている場合において、上りリソース割り当て情報と上り送信データに対するACK/NACK情報とが必ず1対１で行われるという性質を利用したものである。第２従来技術によれば、リソース割り当て情報の順番を利用するが、リソース割り当て情報をなんらかのルールに従って並べる必要はない。しかも、第２従来技術によれば、ACK/NACK情報へUE-IDの付加を必要としないため使用するビット数を減少できるメリットがある。【０００８】
・従来技術の問題点
第１従来技術ではリソース割り当て情報やTPCコマンド、TAコマンドなどの個別制御情報をUE毎にまとめ、TPCコマンドやTAコマンドの実際の数値のバイナリ表記で制御情報を表現している。例えば、TPCコマンドの取りうる値を[-3,-2,-1,0,1,2,3]の7通りとすると、3ビットでTPCコマンドを表記している。一般的に制御ステップ数（TPCの場合には電力制御ステップ数）をxとすると、１UEの１制御情報当り
2009013810.tif 000003
ビットを費やしている。ここで、
2009013810.tif 000004
はyより小さくない整数の最小値を表す。第１従来技術では、TPCコマンドの取りうる値を前述のように[-3,-2,-1,0,1,2,3]の7通りとすると１UE当たり３ビットを必要とし、UE数
をNとすれば、総計3×Nビットを必要とする。
無線システムでは制御情報を確実に相手に届けるために、データに比べてより冗長度の高い符号化を加えてから送信を行う。即ち、制御情報が1ビット増えると、それ以上にデータの送信レートが下がってしまう。以上より、いかにして制御情報のビット数を減らすかが大きな課題である。換言すれば、制御情報のビット数を減らす方法が要望されている。【０００９】
第２従来技術は、前述のように、上りリソース割り当て情報と上り送信データに対するACK/NACK情報とが必ず1対１で行われるという性質を利用したものであり、1対１に対応しない場合には採用できない。このため、必要に応じて送信したりしなかったりする制御情報の送信に採用できない。例えば、TPCコマンドやTAコマンドは受信電力あるいは受信タイミングが目標値からズレがなければ、あるいはズレが小さければ、原理的に送信する必要はない。かかる場合に第２従来技術を採用できない。
また、第２従来技術は、宛先情報を省略してビット数を減少するものであるが、制御情報そのもののビット数を減らすものではない。【００１０】
以上より、本発明の目的は、制御情報を送信するためのビット数を減らすことである。
本発明の別の目的は、リソース割り当て情報と制御情報とが1対１に対応しない場合であっても、該制御情報を少ないビット数で送信することである。
本発明の別の目的は、宛先情報を送信する必要がなく、しかも、制御情報そのもののビット数を減らすことである。
【特許文献１】特開2003−318781
【非特許文献１】3GPP TSG RAN WG1 Meeting#47, Riga, Latvia， R1−063070
【非特許文献２】3GPP TSG RAN WG1 Meeting#47bis, Sorrento, Italy， R1−070105
【発明の開示】
【００１１】
・個別制御情報送信方法
本発明の第１は、共通制御チャネルを用いて複数のユーザ端末へそれぞれの個別制御情報を送信する通信システムにおける個別制御情報送信方法である。
第１の個別制御情報送信方法は、ユーザ端末宛に個別制御情報と所定の制御情報を送信する場合、ユーザ端末を該ユーザ端末宛の制御情報の内容に応じてグループ分けするステップ、各ユーザ端末宛の個別制御情報を所定のグループ順に配列するステップ、各グループに所属するユーザ端末の所属数を前記グループ順に配列した所属数情報を作成するステップ、前記グループ順に各ユーザ端末宛の個別制御情報を送信すると共に前記所属数情報を送信するステップ、を備えている。
第２の個別制御情報送信方法は、ユーザ端末宛に個別制御情報と所定の制御情報を送信する場合、ユーザ端末を該ユーザ端末宛の制御情報の内容に応じてグループ分けするステップ、各ユーザ端末宛の個別制御情報を所定グループ順に配列するステップ、各グループに所属するユーザ端末の個別制御情報の合計サイズを前記グループ順に配列したサイズ情報を作成するステップ、前記グループ順に各ユーザ端末宛の個別制御情報を送信すると共に前記サイズ情報を送信するステップ、を備えている。
前記第１、第２の個別制御情報送信方法において、グループ順は制御情報の優先度順であり、優先度の高いグループの前記所属数情報あるいは前記サイズ情報を送信し、優先度の低いグループの前記所属数情報あるいは前記サイズ情報を送信しない。
【００１２】
・個別制御情報送受信方法
本発明の第２は、共通制御チャネルを用いて複数のユーザ端末へそれぞれの個別制御情報を送信する通信システムにおける個別制御情報送受信方法である。
第１の個別制御情報送受信方法は、送信側において、ユーザ端末宛に個別制御情報と所定の制御情報を送信する場合、ユーザ端末を該ユーザ端末宛の制御情報の内容に応じてグ
ループ分けするステップ、各ユーザ端末宛の個別制御情報を所定のグループ順に配列するステップ、各グループに所属するユーザ端末の所属数を前記グループ順に配列した所属数情報を作成するステップ、前記グループ順に各ユーザ端末宛の個別制御情報を送信すると共に前記所属数情報を送信するステップを備え、
受信側において、基地局装置から前記個別制御情報と前記所属数情報を受信するステップ、自分宛の個別制御情報の順番を判別するステップ、該順番と前記所属数情報とから自分が所属するグループを求めるステップ、該所属グループに基づいて制御情報を復元するステップ、を備えている。
第２の個別制御情報送受信方法は、送信側において、ユーザ端末宛に個別制御情報と所定の制御情報を送信する場合、ユーザ端末を該ユーザ端末宛の制御情報の内容に応じてグループ分けするステップ、各ユーザ端末宛の個別制御情報を所定グループ順に配列するステップ、各グループに所属するユーザ端末の個別制御情報の合計サイズを前記グループ順に配列したサイズ情報を作成するステップ、前記グループ順に各ユーザ端末宛の個別制御情報を送信すると共に前記サイズ情報を送信するステップを備え、受信側において、
基地局装置から送信された前記個別制御情報と前記サイズ情報を受信するステップ、自分宛の個別制御情報の先頭からの位置を判別するステップ、該位置と前記サイズ情報とから自分が所属するグループを求めるステップ、該所属グループに基づいて制御情報を復元するステップ、を備えている。
【００１３】
・基地局装置
本発明の第３は、共通制御チャネルを用いて複数のユーザ端末へそれぞれの個別制御情報を送信する通信システムにおける基地局装置である。
第１の基地局装置は、ユーザ端末宛に個別制御情報と所定の制御情報を送信する場合、ユーザ端末を該ユーザ端末宛の制御情報の内容に応じてグループ分けするグルーピング部、各ユーザ端末宛の個別制御情報を所定のグループ順に配列する配列部、各グループに所属するユーザ端末の所属数を前記グループ順に配列した所属数情報を作成する所属数情報作成部、前記グループ順に各ユーザ端末宛の個別制御情報を送信すると共に前記所属数情報を送信する送信部、を備えている。
第２の基地局装置は、ユーザ端末宛に個別制御情報と所定の制御情報を送信する場合、ユーザ端末を該ユーザ端末宛の制御情報の内容に応じてグループ分けするグルーピング部、各ユーザ端末宛の個別制御情報を所定グループ順に配列する配列部、各グループに所属するユーザ端末の個別制御情報の合計サイズを前記グループ順に配列したサイズ情報を作成するサイズ情報作成部、前記グループ順に各ユーザ端末宛の個別制御情報を送信すると共に前記サイズ情報を送信する送信部、を備えている。
第１、第２の基地局装置において、前記配列部は、制御情報の優先順に前記グループ順を決定し、各ユーザ端末の個別制御情報を該グループ順に配列し、前記送信部は、優先度の高いグループの前記所属数情報あるいは前記サイズ情報を送信し、優先度の低いグループの前記所属数情報あるいは前記サイズ情報を送信しない。
【００１４】
・通信システム
本発明の第４は、共通制御チャネルを用いて複数のユーザ端末装置へ基地局装置よりそれぞれの個別制御情報を送信する通信システムである。
第１の通信システムにおいて、基地局装置は、ユーザ端末宛に個別制御情報と所定の制御情報を送信する場合、ユーザ端末を該ユーザ端末宛の制御情報の内容に応じてグループ分けするグルーピング部、各ユーザ端末宛の個別制御情報を所定のグループ順に配列する配列部、各グループに所属するユーザ端末の所属数を前記グループ順に配列した所属数情報を作成する所属数情報作成部、前記グループ順に各ユーザ端末宛の個別制御情報を送信すると共に前記所属数情報を送信する送信部を備え、ユーザ端末装置は、基地局装置から送信された前記個別制御情報と前記所属数情報を受信する受信部、自分宛の個別制御情報の順番を判別し、該順番と前記所属数情報とから自分が所属するグループを求め、該所属
グループに基づいて制御情報を復元する制御情報復元部、を備えている。
第２の通信システムにおいて、基地局装置は、ユーザ端末宛に個別制御情報と所定の制御情報を送信する場合、ユーザ端末を該ユーザ端末宛の制御情報の内容に応じてグループ分けするグルーピング部、各ユーザ端末宛の個別制御情報を所定グループ順に配列する配列部、各グループに所属するユーザ端末の個別制御情報の合計サイズを前記グループ順に配列したサイズ情報を作成するサイズ情報作成部、前記グループ順に各ユーザ端末宛の個別制御情報を送信すると共に前記サイズ情報を送信する送信部を備え、ユーザ端末装置は、基地局装置から送信された前記個別制御情報と前記サイズ情報を受信する受信部、自分宛の個別制御情報の先頭からの位置を判別し、該位置と前記サイズ情報とから自分が所属するグループを求め、該所属グループに基づいて制御情報を復元する制御情報復元部を備えている。
【図面の簡単な説明】
【００１５】
【図１】本発明の第１の個別制御情報送受信方法の第１の説明図である。
【図２】本発明の第１の個別制御情報送受信方法の第２の説明図である。
【図３】本発明の第１の個別制御情報送受信方法の第３の説明図である。
【図４】本発明の第２の個別制御情報送受信方法説明図である。
【図５】第１実施例の基地局装置の構成図である。
【図６】TPCグルーピング部の処理結果説明図である。
【図７】共通通制御チャネル上の個別制御情報例である。
【図８】共通制御チャネル生成部の処理フローである。
【図９】第１実施例のユーザ端末（UE）の構成図である。
【図１０】TPCコマンド復元部の構成図である。
【図１１】第２実施例の共通通制御チャネル上の個別制御情報例である。
【図１２】第２実施例の個別制御情報送受信方法の説明図である。
【図１３】第２実施例のTPCコマンド復元部の構成図である。
【図１４】TAコマンド値を送信する基地局装装置の構成図ある。
【図１５】TAコマンド値を受信するユーザ端末の構成図である。
【図１６】OFDMAにおける送信フォーマット説明図である。
【発明を実施するための最良の形態】
【００１６】
（A）本発明の概略
本発明は各ユーザ端末(UE)における制御情報A(例えばTPCコマンドやTAコマンド)の値を利用して該制御情報Aを送信するために使用するビット数を減らす。
そのために、基地局装置は、制御情報Aと該制御情報Aを除いたUE個別制御情報Bを共通制御チャネル上で別々に送信する。例えば、基地局装置は、UEを該UE宛の制御情報Aの値に応じてグループ分けし、各UE宛の個別制御情報を所定のグループ順（例えば、制御情報Aの絶対値が大きいグループ順）に配列する。また基地局装置は、各グループに所属するUEの所属数を前記グループ順に配列した所属数情報を作成し、前記グループ順に各UE宛の個別制御情報を送信すると共に前記所属数情報を送信する。
各UEは基地局装置から個別制御情報と所属数情報を受信し、自分宛の個別制御情報の順番を判別し、該順番と所属数情報とから自分が所属するグループを求め、該所属グループに基づいて制御情報を復元する。
以上のようにすることにより、制御情報Aに宛先情報（UE‐ID)を付加する必要がなく、しかも、制御情報Aそのものを送信する必要がないため、制御情報Aを送信するために使用するビット数を削減できる。また、上記グループ順を制御情報Aの優先順とし、優先度の低いものを送信しないことでも制御情報Aを送信するために使用するビット数を削減できる。制御情報Aに適しているのはUE数に比べてビット数が少ない制御情報で、TPCコマンド、TAコマンドあるいは変調方式情報などが考えられる。【００１７】
（B）本発明の第１の個別制御情報送受信方法
図１乃至図３は本発明の個別制御情報送受信方法の説明図である。なお、以下では制御情報A がTPCコマンドであり、TPCコマンドを除いたUE個別制御情報が制御情報Bである場合について説明する。また、以降ではTPCコマンドを除いたUE個別制御情報をリソース割り当て情報と称し、リソース割り当て情報の先頭にUE-IDを配置することとする。
予め、TPCコマンドの値を[3,-3,2,-2,1,-1,0]とした場合、図１(A)に示すようにTPCコマンドの値とグループ番号（G1〜G７）とを対応つけておく。また、共通制御チャネル(図１６参照)上に、リソース割り当て情報とTPCコマンドのそれぞれについて別々の領域を設ける。例えば、図２に示すように共通制御チャネル上にTPCコマンドのためのTPCコマンド領域１１Aとリソース割り当て情報のためのリソース割り当て情報領域１１Bを設ける。【００１８】
かかる状況において、リソース割り当ての対象である各UEに指示するTPCコマンド値が図１(B)であるものとすれば、基地局装置は図１(C)に示すように、各UEをそのTPCコマンド値に応じたグループにグループ分けし(グルーピング)、各UEのリソース割り当て情報を所定のグループ順にリソース割り当て情報領域１１Bに配列する。グループ順は例えば、TPCコマンド値の絶対値が大きいグループ順であり、図１(B)の例では、UE#7→UE#3→UE#2→UE#6→UE#8→UE#9の順に各UEのリソース割り当て情報が配列される。
ついで、基地局装置は図１(D)に示すように、前記グループ順（TPCコマンド値の絶対値が大きいグループ順）に、各グループに所属するUE数を特定する所属数情報を作成し、図２(A)に示すようにTPCコマンド領域１１Aに配列する。図１(B)の例では、１０１２１０１がTPCコマンド領域１１Aに配列される。しかる後、基地局装置は図２(A)に示す共通制御チャネル上に配列された各UEの個別制御情報を送信する。【００１９】
UEは個別制御情報を受信すれば、リソース割り当て情報に含まれるUE‐IDを参照して自分宛のリソース割り当て情報の順番を判別する。例えばUEがUE#2であれば、自分宛のリソース割り当て情報の順番は３である。ついで、該順番と個別制御情報に含まれる所属数情報とから該自分宛のリソース割り当て情報が所属するグループを求める。求め方は、グループ番号G１から順に所属数を積算し、積算値が自分宛のリソース割り当て情報の順番以上となるグループを求めることにより行なわれる。例えば、UEがUE#2であれば、自分宛のリソース割り当て情報の順番は３であるから、積算値が４となるグループG4が所属グループとなる。最後に、所属グループに基づいてTPCコマンド値を推定する。例えば、所属グループがG4であれば、TPCコマンド値は絶対値が第４番目に大きな値であり図１(A)より−２となる。また、別の例としてUEがUE#9であれば、自分宛のリソース割り当て情報の順番は６であり、積算値が６以上となるグループはG7となり、TPCコマンド値は絶対値が第7番
目に大きな値であり図１(A)より0となる。なお、図２(A)の点線で示すように、最後のグループG７の所属数情報がなくてもよい。なぜならば、グループG6までの積算値は５であるから順番が６以降のUE#9の所属グループがG7であることは自明であるからである。【００２０】
以上の例では、各グループに所属するUE数を特定する所属数情報１０１２１０１を作成し、図２(A)に示すようにTPCコマンド領域１１Aに配列した。しかし、第１グループG1から着目グループまでの各グループの所属数の積算値を特定する積算情報１１２４５５６を作成し、図２(B)に示すようにTPCコマンド領域１１Aに配列することもできる。なお、この場合にも最後のグループG７の積算情報は必ずしも必要ではない。
図２(B)の場合、UEは個別制御情報を受信すれば、リソース割り当て情報に含まれるUE‐IDを参照して自分宛のリソース割り当て情報の順番を判別する。例えばUEがUE#2であれば、自分宛のリソース割り当て情報の順番は３である。ついで、該順番と個別制御情報に含まれる積算情報とから自分宛リソース割り当て情報が所属するグループを求める。求め方は、積算値が自分宛リソース割り当て情報の順番以上となるグループを求めることにより行なわれる。例えば、UEがUE#2であれば、自分宛のリソース割り当て情報の順番は３であるから、積算値が４となるグループG4が所属グループとなる。最後に、所属グループに基づいてTPCコマンド値を推定する。
図２(A)，(B)に示すように、各グループに所属するUE数や積算数をTPCコマンド領域１１Aに配列する方法であると、グループ毎に最大UE数を表現するための数のビットが必要になり、グループ数が多い程、TPCコマンドを送信するに必要なビット数が増加する。換言すればグループ数が少ない場合に図２(A)，(B)に示す方法は有効である。【００２１】
図３はグループ数が２の場合の例であり、TPCコマンド値が１と−１の場合である。(Ａ)に示すようにコマンド値＝１のグループＧ１に属するUE端末がUE＃3，UE＃7，UE＃8，UE＃11，UE＃14の５個、コマンド値＝−１のグループＧ２に属するUE端末がUE＃2，UE＃6，UE＃9の3個であるとすれば、基地局装置は各UEのリソース割り当て情報をTPCコマンド値の大きいグループ順(１→−１の順)にリソース割り当て情報領域１１Bに配列する。図３(B)の例では、UE＃3→UE＃7→UE＃8→UE＃11→UE＃14→UE＃2→UE＃6→UE＃9の順に各UEのリソース割り当て情報を配列する。ついで、基地局装置はコマンド値＝１のグループＧ１に属するUE数を特定する所属数情報を作成し、図３(Ｂ)に示すようにTPCコマンド領域１１Aに配置する。図３(B)の例では、“５”がTPCコマンド領域１１Aに配置される。なお、グループG２の所属数情報(＝3)は省略している。すなわち、グループ数が２の場合には、最大UE数を表現できるビット数だけで全UEのTPC情報を送信することができる。【００２２】
（Ｃ）本発明の第２の個別制御情報送受信方法
図４は本発明の第２の個別制御情報送受信方法説明図である。
基地局制御装置は、第１の個別制御情報送受信方法と同様に各UEをそのTPCコマンド値に応じたグループにグループ分けし、各UEのリソース割り当て情報を所定のグループ順（例えば、TPCコマンド値の絶対値が大きいグループ順）にリソース割り当て情報領域１１Bに配列する。ついで、各グループに所属するUE数を特定する所属数情報を作成しTPCコマンド領域１１Aに配列する。すなわち、各グループの間に０を配置してグループを区別し、各グループに所属するUE数に等しい数の１を所属数情報として該グループの両側の０の間に並べる。なお、グループを区別する最初と最後の０は省略することができる。図４(A)はグループG１，G２，G3，G4，…の所属数ｎtpcをｎ3，ｎ‐3，ｎ2，ｎ‐2，．．．とした例であり、グループG１，G２，G3，G4，…にｎ3，ｎ‐3，ｎ2，ｎ‐2，．．．個の”1”を配置する。図1の例では、図４(B)に示すようにグループＧ1〜G7にそれぞれ１個、0個、1個、2個、1個、0個、1個の”1”を配置する。なお、最後のグループG7の所属数は省略することができる
この方法はグループ数をn、UE数をmとすれば、グループの区切りに必要な(n−2)個の“0”とｍ個の“1”の総計(ｍ＋n−2)ビット必要になるだけである。また、この方法はUE数
mが少ない場合にも制御ビットを削減する効果がある。第１従来技術の方式では、収容UE数をmとすると、7ステップのTPCコマンドを表すのに、全部で3×mビットが必要である。これに対して図４の方式では、グループの区切りに必要な５個の“0”とm個の“1”の総計(m＋5)ビット必要になるだけである。したがって、第１従来技術の方式と比較すると次式
3×m＞m＋5
が成立するUE数mであれば、すなわち、UE数mが３以上であれば図４の方法が有効となることがわかる。また上式よりmが大きいほど効果があることが分かる。【００２３】
(Ｄ)第１実施例
図５は第１実施例の基地局装置の構成図であり、図４の第２の個別制御情報送受信方法を適用した場合の例である。
無線部２１の受信部(図示せず)は各UEより受信した信号をベースバンド信号に周波数変換して出力する。分離部２２は受信信号よりパイロット、制御データ、上り送信データを分離し、パイロットをSIR測定部２３に入力する。SIR測定部２３は各UEから送信されたパイロットを用いて各UEからの信号の受信SIRを測定し、該受信SIRを制御部２４のリソース割り当て部２４aと送信電力制御部２４bに入力する。リソース割り当て部２４aは各UEの受信SIRに基づいて周知のスケジューリング処理を行って各UEに上りリンク及び下りリンクのリソースを割り当てると共に、UE毎に伝送フォーマット(符号化レート、変調方式、サイズ)等を決定して共通制御チャネル生成部２５のリソース割り当て情報領域生成部２５aに入力する。また、送信電力制御部２５ｂはUE毎の受信SIRに基づいて周知のアルゴリズムにしたがって送信電力制御を行って各UEに送信するTPCコマンドを決定して共通制御チャネル生成部２５のTPCグルーピング部２５ｂに入力する。
リソース割り当て情報領域生成部２５aは入力情報を用いて各UEのリソース割り当て情報を作成して配列部２５cに入力する。一方、TPCグルーピング部２５ｂは、各UEを該UEのTPCコマンド値に応じたグループにグループ分けすると共に、各グループに所属するUEの数(所属数)を出力する。図６はTPCコマンド値を図１(A)に示す[3,-3,2,-2,1,-1,0]とし、各UEに指示するTPCコマンド値を図１(B)に示す値であるとしたときの、TPCグルーピング部２５bの処理結果である。【００２４】
配列順序決定部２５dはグルーピング結果と配列規則にしたがって、各UEのリソース割り当て情報の配列順序を決定して配列部２５cに入力する。配列規則は所定グループ順であり、たとえばTPCコマンド値の絶対値が大きいグループ順である。TPCコマンド値の絶対値が大きいグループ順の場合、各UEのリソース割り当て情報の配列順序は、図６の例ではUE#7→UE#3→UE#2→UE#6→UE#8→UE#9となる。
配列部２５cは該配列順に従って各UEのリソース割り当て情報を共通制御チャネル領域部２５eのリソース割り当て情報領域１１Bに図７に示すように配列する。所属数情報作成部２５fは、前記所定グループ番号順に、各グループに所属するユーザ端末の数を特定する所属数情報を作成して共通制御チャネル領域部２５eのTPCコマンド領域１１Aに図７に示すように配列する。すなわち、所属数情報作成部２５fは、各グループの間に０を配置し(最初と最後の０は省略)、各グループに所属するユーザ端末の数（１、０、１、２、１、０、１）に等しい数の１を前記所属数情報として該グループの両側の０の間に並べてなる所属数情報を作成してTPCコマンド領域１１Aに配列する。
チャネル多重部２６は下りパイロット、各UEへ送信する下りデータ及び共通制御チャネル情報（各UE宛の個別制御情報)を、周波数軸方向及び時間軸方向に多重し(図１６参照)、無線部２１の送信部(図示せず)は該多重信号を無線信号にしてアンテナより送信する。【００２５】
図８は共通制御チャネル生成部２５の処理フローである。
共通制御チャネル生成部２５は、各ユーザのTPC値にしたがってユーザをグループ分けし、各グループに所属するユーザ数を求める(ステップ１０１)。ついで、所定のグループ
順にユーザのリソース割り当て情報を配列する(ステップ１０２)。また、グループ順に各グループの所属数を特定する所属数情報を作成し(ステップ１０３)、最後に、ステップ１０２のリソース割り当て情報配列とステップ１０３で作成した所属数情報を合成してチャネル多重部２６、無線部２１を介して送信する(ステップ１０４)。【００２６】
図９は第１実施例のユーザ端末（UE）の構成図である。
無線部５１の受信部(図示せず)は基地局より受信した信号をベースバンド信号に周波数変換して出力する。データ分離部５２は受信信号よりパイロット信号、個別制御信号、下り送信データ信号を分離し、パイロットを伝播路推定部５３に入力し、個別制御信号を個別制御情報検出部５４に入力し、下り送信データを下りデータ処理部５５に入力する。伝播路推定部５３は、パイロット信号を用いてチャネルを推定し、チャネル推定値を個別制御情報検出部５４と下りデータ処理部５５に入力する。個別制御情報検出部５４はチャネル推定値を用いて個別制御信号にチャネル補償を施して個別制御情報を復号してTPCコマンド復元部５６に入力すると共に、該個別制御情報に含まれる自分宛のリソース割り当て情報を抽出し、下りリソース情報を下りデータ処理部５５に入力し、上りリソース情報を上りデータ信号処理部５７に入力する。下りデータ処理部５５はチャネル推定値を用いて下りデータ信号にチャネル補償処理を施し、しかる後、下りリソース情報を参照して自分宛の下りデータを抽出して出力する。【００２７】
TPCコマンド復元部５６は、個別制御情報に含まれるリソース割り当て情報のうち自分宛のリソース割り当て情報の順番を判別し、該順番と各グループに所属するユーザ端末数を特定する所属数情報とから、自分が所属するグループを求め、該所属グループに基づいてTPCコマンド値を復元し、送信電力調整部５８に入力する。なお、TPCコマンド値の復元方法は図１０に従って後述する。
上りデータ信号処理部５７は上りリソース情報に基づいて上りデータに所定の信号処理を施し、多重部５９は上りデータ信号処理部５７から入力する上りデータとパイロット生成部６０から入力するパイロットを周波数多重、時分割多重して送信電力調整部５８に入力する。送信電力調整部５８は、TPCコマンド復元部５６から入力するTPCコマンド値に基づいて送信信号の電力を増減して無線部５１に入力し、送信部(図示せず)は、入力された信号を高周波信号にしてアンテナより送信する。【００２８】
図１０はTPCコマンド復元部５６の構成図であり、順番判別部５６aは個別制御情報に含まれるリソース割り当て情報(図７参照)のうち自分宛のリソース割り当て情報の順番Nを判別する。すなわち、各リソース割り当て情報には宛先を示すUE-ID（UE識別子)が含まれているから自分のUE-IDを含むリソース割り当て情報を検出し、先頭からの順番Nを判別し、所属グループ取得部５６bに入力する。所属数情報抽出部５６cは個別制御情報(図７参照)に含まれる所属数情報を抽出して、所属グループ取得部５６bに入力する。所属グループ取得部５６bは入力された所属数情報において、N番目の”１”の位置(グループ番号)を判別し、TPC復元部５６dは該グループ番号に応じたTPCコマンド値を復元する。なお、グループ番号Gは、N番目の”１”の前に存在するグループ区分用の“０”の数nに１を加算して得られる(グループ番号G＝n＋１)。例えば、UEがUE#6であればN=4、“０”の数nは３、グループ番号Gは４(=G4)であるから、図６を参照するとTPCコマンド値は−２となる。また、UEがUE#9であればN=6、“０”の数nは６、グループ番号Gは７(=G７)であるから、図６を参照するとTPCコマンド値は０となる。
実際には、予め、N番目の”１”の前に存在する”0”の数とTPCコマンド値の対応を示すTPC復元用テーブル５６eが設けられており、TPC復元部５６dはこのテーブルを参照してTPCコマンド値を復元する。たとえば、UEがUE#6であればN=4、“０”の数nは３であるから、テーブルを参照するとTPCコマンド値は−２となり、また、UE#9であればN=6、“０”の数nは６であるから、テーブルを参照するとTPCコマンド値は０となる。このTPC復元用テーブル５６eはTPCコマンド値が[3,-3,2,-2,1,-1,0]の値をとる場合の例であるが、TPC
コマンド値がどのような値をとるかにより異なる。【００２９】
第１実施例は、図７に示すように、各グループの間に０を配置してグループを区別し、各グループに所属するUE数に等しい数の１を該グループの両側の０の間に並べて所属数情報を作成し、該所属数情報を含む個別制御情報を送受信した例である。しかし、かかる場合に限らず、図２（A）に示すようにグループに所属するUE数を示す数値を並べることにより所属数情報を作成し、該所属数情報を含む個別制御情報を送受信することができる(第１の個別制御情報送受信方法を参照)。また、図２（B）に示すようにグループに所属するUE数を積算し、積算数を並べることにより所属数情報を作成し、該所属数情報を含む個別制御情報を送受信することができる
第１実施例はTPCコマンド値の絶対値が大きいグループ順にUEのリソース割り当て情報を並べた場合であるが、所定配列規則に従って、例えばTPCコマンド値の絶対値が小さいグループ順にUEのリソース割り当て情報を並べることができる。なお、一般に制御情報の内容に基づいてグループ順を決定することができる。
また、制御情報(例えばTPCコマンド値)の優先度に基づいて、リソース割り当て情報を配列するためのグループ順序を決定し、優先順位の高いグループの所属数のみを送信し、優先順位の低いグループの所属数の送信を省略し、使用するビット数を削減することができる。なお、絶対値が大きいほど優先度が高いものとすると、図７ではTPCコマンド値の優先度の高いグループ順に各UEの個別制御情報を整列していることになり、TPCコマンド値が[3，−3，2，−2]の所属数のみを送るものとすれば、所属数情報１００１０１１を送るだけでよく、使用するビット数を5ビット削減することができる。【００３０】
（Ｅ）第２実施例
第１実施例は、各UE宛のリソース割り当て情報のサイズSが同一の場合である。かかる場合、サイズS毎に自分のUE-IDが検出できるか否かをチェックするだけで、容易に自分宛のリソース割り当て情報を検出、抽出することができ、また、自分宛リソース割り当て情報の順番Nを取得することができる。しかし、各UE宛のリソース割り当て情報のサイズが異なる場合、リソース割り当て情報の区切りが不明となるため自分宛のリソース割り当て情報の抽出処理や順番取得処理が複雑になる。
第２実施例は、各UE宛のリソース割り当て情報のサイズが異なる場合にも制御情報(TPCコマンド値)を容易に復元できるようにするために、グループに所属するUEの所属数情報に替えてグループに所属する全UEのリソース割り当て情報のサイズ（総エレメント数）を用いる。
図１１（A）は各UEのリソース割り当て情報のサイズ(エレメント数)が異なる場合における個別制御情報の一例である。なお、TPCコマンド値が図１２（A）に示す値をとり、各UEに指示するTPCコマンド値及びリソース割り当て情報サイズ(エレメント数)が図１２(B)に示す通りであるとする。【００３１】
基地局制御装置の共通制御チャネル生成部２５(図５)は、第１実施例と同様に各UEをそのTPCコマンド値に応じたグループにグループ分けし(図１２（C）参照)、各UEのリソース割り当て情報を所定グループ順（TPCコマンド値の絶対値が大きいグループ順）に配列する(図１１（A）参照)。ついで、共通制御チャネル生成部２５は、各グループに所属する全UEのリソース割り当て情報サイズの総サイズを特定するサイズ情報(図１２(D)参照)を作成しTPCコマンド領域１１Aに配列する。
すなわち、共通制御チャネル生成部２５は、(１)各グループの間に０を配置してグループを区別し、(２)グループ毎に、グループに所属する全UEのリソース割り当て情報サイズ(エレメント数)を合計して総エレメント数Mを求め、(３)各グループの総エレメント数Mに等しい数の１を該グループの両側の０の間に並べる。
以上の操作により、図１１(A)に示すようにグループＧ1〜G7にそれぞれ総エレメント数１，０，２，５，１，０，２に等しい数の”1”が配置された個別制御情報が得られ、UE
に向けて送信される。【００３２】
各UEのTPCコマンド復元部５６(図９)は以下のようにTPCコマンドを復元する。
図１３は第２実施例のTPCコマンド復元部５６の構成図である。
エレメント番号判別部６１は個別制御情報に含まれるリソース割り当て情報(図１１（A）参照)の単位サイズ（エレメント）毎に自分のUE-IDがエレメント先頭に存在するか調べ、自分のUE-IDを検出したときのエレメント番号Eを所属グループ取得部６２に入力する。TPCコマンド領域情報抽出部６３は個別制御情報(図１１(A)参照)に含まれるTPCコマンド領域情報(サイズ情報)を抽出して、所属グループ取得部６２に入力する。所属グループ取得部６２は入力されたサイズ情報において、E番目の”１”の位置(グループ位置)を判別し、TPC復元部６４は該”１”の前に存在するグループ区分用の“０”の数nを求め、該nに応じたTPCコマンド値をTPC復元用テーブル６５より復元する。例えば、UE#6であれば、図１１(A)よりエレメント番号７において自分のUE-IDを検出するからE=7となる。この結果、７番目の”１”(グループG4)の前に存在する“０”の数nは３であるからTPCコマンド=−２となる。
第２実施例によれば各UE宛のリソース割り当て情報のサイズが異なる場合にもTPCコマンド値を容易に復元することができる。【００３３】
・変形例
第２実施例ではエレメント毎にUE-IDの照合を行なうため受信処理が複雑になる。そこで、変形例では図１１(B)に示すようにグループに所属するUE数と各UEのリソース割り当て情報サイズがわかるようにする。このために図１１(B)では、グループに所属する各UEのリソース割り当て情報サイズ１，２，３，・・・を"10"、"110"、"1110"、・・・により表現する。
TPC復元に際して、エレメント番号判別部６１は、(１)TPCコマンド領域１１AのTPCコマンド領域情報（所属数及びサイズ情報）より、リソース割り当て情報領域１１Bにおける各リソース割り当て情報のサイズ(エレメント数)を求め、(２)該サイズの先頭に自分のUE-IDが存在するか調べ、(３)自分のUE-IDを検出できればそのときのエレメント番号Eを所属グループ取得部６２に入力する。TPCコマンド領域情報抽出部６３は個別制御情報に含まれるTPCコマンド領域情報（所属数及びサイズ情報）を抽出して、所属グループ取得部６２に入力する。所属グループ取得部６２は入力されたTPCコマンド領域情報において、E番目の”１”の位置を判別し、TPC復元部６４は該”１”の前に存在するグループ区分用の“０”の数nを求め(“１”の次の“０”はグループ区分用の“０”ではない)、該nに応じたTPCコマンド値をTPC復元用テーブル６５より復元する。例えば、UE#6であれば、エレメント番号７において自分のUE-IDを検出するからE=7となる。この結果、７番目の”１”の前に存在するグループ区分用の“０”の数nは３であるからTPCコマンド=−２となる。
この変形例によればエレメント毎にUE-IDの照合を行なう必要がないため受信処理を容易におこなうことができる。【００３４】
(Ｆ)第３実施例
図１４、図１５はそれぞれ、TPCコマンド値に替えてTAコマンド値を送信する基地局装置、ユーザ端末(UE)の構成図であり、図５、図９と同一部分には同一符号を付している。
図１４の基地局装置が図５の基地局装置と異なる点は、受信タイミング測定部３１が設けられている点、送信電力制御部やTPCグルーピング部を削除し、替わりに送信タイミング制御部２４cとTAグルーピング部２５gが設けられている点である。
受信タイミング決定部３１は、UEからの信号の受信タイミングをパイロット信号に基づいて測定して送信タイミング制御部２４cに入力し、送信タイミング制御部２４cはUE毎に受信タイミングと目標タイミングの差がゼロとなるようにTAコマンドを決定して共通制御チャネル生成部２５のTAグルーピング部２５gに入力する。TAグルーピング部２５gは、各UEを該UEのTAコマンド値に応じたグループにグループ分けすると共に、各グループに所属
するUEの数(所属数)を出力する。以後、TAコマンドがTPCコマンドと同じ値(図１(A))をとるものとすれば、基地局装置は図５と同様の制御を行って共通制御チャネル上に作成した個別制御情報を各UEに送信する。【００３５】
図１５のユーザ端末が図９のユーザ端末と異なる点は、TPCコマンド復元部や送信電力調整部を削除し、替わりにTAコマンド復元部７１と送信タイミング調整部７２が設けられている点である。TAコマンド復元部７１はTPCコマンド復元処理と同様の処理によりTAコマンド値を復元して送信タイミング調整部７２に設定する。これにより、送信タイミング調整部７２は送信信号の送信タイミングをTAコマンド値に基づいて調整する。
以上では本発明をTPCコマンド、TAコマンドを送信する場合について説明したが、これらの他に変調方式情報、リソース割り当て有効期間(Duration of Assignment)情報等を送信する場合にも適用できる。なお、Duration of Assignmentは 割り当てたリソースをどれくらいの期間使用できるかを示す情報であり、例えば2bitであれば、有効期間として1ms, 2ms, 3ms, 4msの4パターンのいずれかを特定する。1回で3msや4msの長い期間の割り当てを行う対象は、データ量の多いUEや伝播路状況が安定して良いと推定できるUEである。
また、以上では、リソース割り当て情報とTPCコマンド情報を同時に送信する場合について説明したが、別々のタイミングで送信することもできる。【００３６】
・発明の効果
以上本発明によれば、制御情報(TPCコマンドやTAコマンドなど)を送信するためのビット数を減らすことができる。
本発明によれば、リソース割り当て情報と制御情報とが1対１に対応していない場合であっても、該制御情報を少ないビット数で送信することができる。
本発明によれば、宛先情報を送信する必要がなく、しかも、制御情報そのもののビット数を減らすことができる。
本発明によれば、優先順位の高いグループの所属数情報のみを送信し、優先順位の低いグループの所属数情報を送信しないようにできるため制御情報を送信するために使用するビット数を削減することができる。
本発明によれば、グループに所属するUEの総リソース割り当て情報サイズがわかるように個別制御情報を送信するため、各UEのリソース割り当て情報サイズが異なる場合であっても制御情報を復元することができ、しかも、制御情報を送信するためのビット数を減らすことができる。
本発明によれば、グループに所属するUE数とリソース割り当て情報サイズがわかるように個別制御情報を送信するため、各UEのリソース割り当て情報サイズが異なる場合であっても簡単な受信処理により制御情報を復元することができ、しかも、制御情報を送信するためのビット数を減らすことができる。
【図１】
2009013810.tif 000005
【図２】
2009013810.tif 000006
【図３】
2009013810.tif 000007
【図４】
2009013810.tif 000008
【図５】
2009013810.tif 000009
【図６】
2009013810.tif 000010
【図７】
2009013810.tif 000011
【図８】
2009013810.tif 000012
【図９】
2009013810.tif 000013
【図１０】
2009013810.tif 000014
【図１１】
2009013810.tif 000015
【図１２】
2009013810.tif 000016
【図１３】
2009013810.tif 000017
【図１４】
2009013810.tif 000018
【図１５】
2009013810.tif 000019
【図１６】
2009013810.tif 000020
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
共通制御チャネルを用いて複数のユーザ端末へそれぞれの個別制御情報を送信する通信システムにおける個別制御情報送信方法において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定のグループ順に配列し、
各グループに所属するユーザ端末の所属数を前記グループ順に配列した所属数情報を作成し、
前記グループ順に各ユーザ端末宛の個別制御情報を送信すると共に前記所属数情報を送信する、
ことを特徴とする個別制御情報送信方法。
【請求項２】
共通制御チャネルを用いて複数のユーザ端末へそれぞれの個別制御情報を送信する通信システムにおける個別制御情報送信方法において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定グループ順に配列し、
各グループに所属するユーザ端末の個別制御情報の合計サイズを前記グループ順に配列したサイズ情報を作成し、
前記グループ順に各ユーザ端末宛の個別制御情報を送信すると共に前記サイズ情報を送信する、
ことを特徴とする個別制御情報送信方法。
【請求項３】
前記グループ順は制御情報の優先度順であり、優先度の高いグループの前記所属数情報あるいは前記サイズ情報を送信し、優先度の低いグループの前記所属数情報あるいは前記サイズ情報を送信しない、
ことを特徴とする請求項１または２記載の個別制御情報送信方法。
【請求項４】
共通制御チャネルを用いて複数のユーザ端末へそれぞれの個別制御情報を送信する通信システムにおける個別制御情報送受信方法において、
送信側において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定のグループ順に配列し、
各グループに所属するユーザ端末の所属数を前記グループ順に配列した所属数情報を作成し、
前記グループ順に各ユーザ端末宛の個別制御情報を送信すると共に前記所属数情報を送信し、
受信側において、
基地局装置から前記個別制御情報と前記所属数情報を受信し、
自分宛の個別制御情報の順番を判別し、
該順番と前記所属数情報とから自分が所属するグループを求め、
該所属グループに基づいて制御情報を復元する、
ことを特徴とする個別制御情報送受信方法。
【請求項５】
共通制御チャネルを用いて複数のユーザ端末へそれぞれの個別制御情報を送信する通信システムにおける個別制御情報送受信方法において、
送信側において、
ユーザ端末宛に個別制御情報と所定の制御情報を送信する場合、ユーザ端末を該ユーザ端末宛の制御情報の内容に応じてグループ分けし、
各ユーザ端末宛の個別制御情報を所定グループ順に配列し、
各グループに所属するユーザ端末の個別制御情報の合計サイズを前記グループ順に配列したサイズ情報を作成し、
前記グループ順に各ユーザ端末宛の個別制御情報を送信すると共に前記サイズ情報を送信し、
受信側において、
基地局装置から送信された前記個別制御情報と前記サイズ情報を受信し、
自分宛の個別制御情報の先頭からの位置を判別し、
該位置と前記サイズ情報とから自分が所属するグループを求め、
該所属グループに基づいて制御情報を復元する、
ことを特徴とする個別制御情報送受信方法。
【請求項６】
共通制御チャネルを用いて複数のユーザ端末へそれぞれの個別制御情報を送信する通信システムにおける基地局装置において、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定のグループ順に配列する配列部、
各グループに所属するユーザ端末の所属数を前記グループ順に配列した所属数情報を作成する所属数情報作成部、
前記グループ順に各ユーザ端末宛の個別制御情報を送信すると共に前記所属数情報を送信する送信部、
を備えることを特徴とする基地局装置。
【請求項７】
共通制御チャネルを用いて複数のユーザ端末へそれぞれの個別制御情報を送信する通信システムにおける基地局装置において、
ユーザ端末宛に個別制御情報と所定の制御情報を送信する場合、ユーザ端末を該ユーザ端末宛の制御情報の内容に応じてグループ分けするグルーピング部、
各ユーザ端末宛の個別制御情報を所定グループ順に配列する配列部、
各グループに所属するユーザ端末の個別制御情報の合計サイズを前記グループ順に配列したサイズ情報を作成するサイズ情報作成部、
前記グループ順に各ユーザ端末宛の個別制御情報を送信すると共に前記サイズ情報を送信する送信部、
を備えることを特徴とする基地局装置。
【請求項８】
前記配列部は、制御情報の優先順に前記グループ順を決定し、各ユーザ端末の個別制御情報を該グループ順に配列し、
前記送信部は、優先度の高いグループの前記所属数情報あるいは前記サイズ情報を送信し、優先度の低いグループの前記所属数情報あるいは前記サイズ情報を送信しない、
ことを特徴とする請求項６または７記載の基地局装置。
【請求項９】
ユーザ端末宛に個別制御情報と所定の制御情報を送信する場合、基地局装置において、ユーザ端末を該ユーザ端末宛の制御情報の内容に応じてグループ分けし、各ユーザ端末宛の個別制御情報を所定のグループ順に配列し、各グループに所属するユーザ端末の所属数を前記グループ順に配列した所属数情報を作成し、前記グループ順に各ユーザ端末宛の個別制御情報を送信すると共に前記所属数情報を送信する通信システムにおけるユーザ端末において、
基地局装置から送信された前記個別制御情報と前記所属数情報を受信する受信部、
自分宛の個別制御情報の順番を判別し、該順番と前記所属数情報とから自分が所属するグループを求め、該所属グループに基づいて制御情報を復元する制御情報復元部、
を備えたことを特徴とするユーザ端末。
【請求項１０】
ユーザ端末宛に個別制御情報と所定の制御情報を送信する場合、基地局装置において、ユーザ端末を該ユーザ端末宛の制御情報の内容に応じてグループ分けし、各ユーザ端末宛の個別制御情報を所定グループ順に配列し、各グループに所属するユーザ端末の個別制御情報の合計サイズを前記グループ順に配列したサイズ情報を作成し、前記グループ順に各ユーザ端末宛の個別制御情報を送信すると共に前記サイズ情報を送信する通信システムにおけるユーザ端末において、
基地局装置から送信された前記個別制御情報と前記サイズ情報を受信する受信部、
自分宛の個別制御情報の先頭からの位置を判別し、該位置と前記サイズ情報とから自分が所属するグループを求め、該所属グループに基づいて制御情報を復元する制御情報復元部、
を備えたことを特徴とするユーザ端末。
【国際調査報告】
2009013810.tif 000021
2009013810.tif 000022
2009013810.tif 000023